(57)【要約】      （修正有）【課題】より演出性の高い室内空間を実現するパーテーションを提供する。【解決手段】パーテーション１Ａは、室内スペースを区画するパーテーション本体２と、パーテーション本体２の周縁部に内蔵された照明器具５と、を備え、パーテーション本体２は、枠体３と、枠体３を挟んで枠体３の両側に設けられる、一対のパーテーションパネル４と、を備え、照明器具５は、一対のパーテーションパネル４同士の間に設けられ、一対のパーテーションパネル４の少なくとも一方は、光透過性を有する材料で、かつ光拡散機能を有するように形成されている。【選択図】図２
0003235081.tif 000002
【実用新案登録請求の範囲】
【請求項１】
室内スペースを区画するパーテーション本体と、
前記パーテーション本体の周縁部に内蔵された照明器具と、を備え、
前記パーテーション本体は、
枠体と、
前記枠体を挟んで前記枠体の両側に設けられる、一対のパーテーションパネルと、
を備え、
前記照明器具は、前記一対のパーテーションパネル同士の間に設けられ、前記一対のパーテーションパネルの少なくとも一方は、光透過性を有する材料で、かつ光拡散機能を有するように形成されていることを特徴とするパーテーション。
【請求項２】
前記一対のパーテーションパネルは、其々、光透過性を有する材料によって形成されているか、または、一方が光透過性を有する材料によって形成され、他方が遮光性を有する材料によって形成されていることを特徴とする請求項１に記載のパーテーション。
【請求項３】
光透過性を有する材料によって形成された前記パーテーションパネルは、断面が波状となるように形成されていることを特徴とする請求項１または２に記載のパーテーション。
【請求項４】
前記一対のパーテーションパネルの上部には、吸音板、または磁性を有する材料によって形成されたマグネット式プレートが取り付けられていることを特徴とする請求項１から３のいずれか一項に記載のパーテーション。
【請求項５】
前記一対のパーテーションパネルの一方は、磁性を有する材料によって形成されていることを特徴とする請求項１から４のいずれか一項に記載のパーテーション。
【請求項６】
前記枠体は、前記枠体に囲まれる内部空間の内方に向かって開口する凹部を有し、
前記照明器具は、前記凹部内に収容されていることを特徴とする請求項１から５のいずれか一項に記載のパーテーション。
【考案の詳細な説明】
【技術分野】
【０００１】
本考案は、パーテーションに関する。
【背景技術】
【０００２】
室内スペースを区画するパーテーションに、照明機能を備えたものが複数提案されている。例えば、特許文献１には、室内を仕切る間仕切パネルの上端に、少なくとも上面が
開口する箱状のケースを取付け、このケース内に照明器具を収容した構成が開示されている。このような構成では、間仕切パネルの上端部に設けられた照明器具により、天井に向かって光が照射されるため、その反射光により室内が間接的に照明される。
特許文献１に開示されたような構成では、照明器具が間仕切りパネルの上端に、外部に露出して設けられている。このため、パーテーションからの照明光が、間接照明光に限られ、室内空間の演出性を高めようとしても限度がある。
【０００３】
また、特許文献２には、室内スペースを区画するパーテーション本体の周縁部に、間接照明用の照明器具を備えた構成が開示されている。この構成において、照明器具から発せられた光を、室内の天井などに照射することで、間接照明を実現している。また、この構成では、パーテーション本体に光透過性パネルを備え、照明器具は、光透過性パネルの上方に、光透過性パネルから離間して設けられている。照明器具から照射された直接照明光の一部が光透過性パネルを透過し、室内へ向けて照射される。
特許文献２に開示されたような構成では、パーテーションの上端に外部に露出して設けられている。このため、パーテーションからの照明光は、間接照明光、及び照明器具から光透過性パネルへの透過光となる。照明器具は、光透過性パネルの上方に設けられているため、照明器具から光透過性パネルを透過して室内に至る光の方向は、下方のみに限定され照射される範囲は狭いものとなる。したがって、室内空間の演出性を高めようとしても限度がある。
【０００４】
また、特許文献３には、透明部材および半透明部材の少なくとも一方から構成された光透過性パネルと、光透過性パネルに光を導入するＬＥＤ光源と、ＬＥＤ光源を移動させるための駆動機構と、を備えたパーテーションの構成が開示されている。
特許文献３に開示されたような構成では、ＬＥＤ光源を移動させる駆動機構を備えているため、構造が複雑化し、パーテーション自体の外観が損なわれてしまう。このため、パーテーション自体が、室内空間の雰囲気を損なうことにも繋がる。
【先行技術文献】
【特許文献】
【０００５】
【特許文献１】特開２００３−２４９１１８号公報
【特許文献２】特開２０００−５４５３３号公報
【特許文献３】特開２００５−２５６３３３号公報
【考案の概要】
【考案が解決しようとする課題】
【０００６】
本考案が解決しようとする課題は、より演出性の高い室内空間を実現することができるパーテーションを提供することである。
【課題を解決するための手段】
【０００７】
本考案は、上記課題を解決するため、以下の手段を採用する。
すなわち、本考案のパーテーションは、室内スペースを区画するパーテーション本体と、前記パーテーション本体の周縁部に内蔵された照明器具と、を備え、前記パーテーション本体は、枠体と、前記枠体を挟んで前記枠体の両側に設けられる、一対のパーテーションパネルと、を備え、前記照明器具は、前記一対のパーテーションパネル同士の間に設けられ、前記一対のパーテーションパネルの少なくとも一方は、光透過性を有する材料で、かつ光拡散機能を有するように形成されていることを特徴とする。
このような構成によれば、一対のパーテーションパネル同士の間に、照明器具が設けられている。このため、照明器具がパーテーション本体の外部に露出することがなく、パーテーション自体によって、室内空間の雰囲気が損なわれるのを抑えることができる。
照明器具を点灯させると、照明器具からの照明光は、枠体の内側で、一対のパーテーションパネルの間に形成される内部空間を通過して、一対のパーテーションパネルに照射される。このため、照明器具からの照明光は、内部空間内に立体的に拡がって照射される。内部空間に照射された照明光は、光透過性を有する材料で、かつ光拡散機能を有するパーテーションパネルを通して、室内に拡散して、拡散光として照明される。このようにして、照明光が内部空間内に拡がった後、光透過性を有したパーテーションパネルを通して拡散することで、いわば、行燈のような温かみのある光がパーテーションから発せられる。
特に、照明器具は、一対のパーテーションパネル同士の間に設けられているため、例えばパーテーションパネルの周縁部よりも外側に照明器具が設けられた場合に比べて、照明器具によって光が照射されるパーテーションパネルの領域が広くなる。したがって、上記のような、温かみのある拡散光の光量を大きくし、当該拡散光の照射範囲を広くすることができる。これにより、室内をより明るくするとともに、光による表現力、視覚効果を高めて、室内の演出性を高めることができる。
このようにして、上記のようなパーテーションにより、より演出性の高い室内空間を実現することが可能となる。
【０００８】
本考案の一態様においては、本考案のパーテーションは、前記一対のパーテーションパネルが、其々、光透過性を有する材料によって形成されているか、または、一方が光透過性を有する材料によって形成され、他方が遮光性を有する材料によって形成されている。
このような構成によれば、一対のパーテーションパネルが、それぞれ光透過性を有する材料によって形成されている場合、パーテーションの両側の室内空間に、パーテーション本体の内部空間からパーテーションパネルを通して照明光が拡散される。また、一対のパーテーションパネルの一方が光透過性を有する材料によって形成され、他方が遮光性を有する材料によって形成されている場合、パーテーションに対して一方の側の室内空間のみに、パーテーションパネルを通した照明光が拡散され、他方の側の室内空間へは、遮光性を有する材料によって形成されたパーテーションパネルによって、内部空間の照明光の室内への拡散が遮られる。このようにして、パーテーションの設置場所、または利用者の好みに合わせて、室内空間への照明の拡散形態を異ならせることができる。また、他方のパーテーションパネルを、遮光性を有する材料によって形成した場合、パーテーションによって視線を遮ることができ、プライバシー性の高い室内空間を提供できる。したがって、パーテーションの機能をさらに高めることができる。
【０００９】
本考案の一態様においては、本考案のパーテーションは、光透過性を有する材料によって形成された前記パーテーションパネルが、断面が波状となるように形成されている。
このような構成によれば、パーテーションパネルの断面を波状とすることで、パーテーション本体の内部空間からパーテーションパネルを通して室内空間に拡散される光が不均一な拡散光となるため、上記のような光拡散機能を、効率的に実現することができる。さらに、複数枚のパーテーションを室内に設置する場合、複数枚のパーテーション間でパーテーションパネルの波状断面の方向を異ならせれば、パーテーションパネルを通して室内空間に拡散される光の拡散性を変えることもできる。このようにして、パーテーションによる室内空間への演出性を、さらに高めることができる。
また、パーテーションパネルの断面を波状とすることで、視線を遮る効果も高められ、プライバシー性の高い室内空間を提供できる。
【００１０】
本考案の一態様においては、本考案のパーテーションは、前記一対のパーテーションパネルの上部に、吸音板、または磁性を有する材料によって形成されたマグネット式プレートが取り付けられている。
このような構成によれば、パーテーションパネルに吸音板が取り付けられた場合、室内空間の吸音性能を高めることができる。オフィス等において、話し声などの騒音源は、パーテーションの下側よりも、上側の位置において生じやすい。このため、吸音板をパーテーションパネルの上部に取り付けることで、吸音板による吸音性能を、効率よく高めることができる。
また、パーテーションパネルにマグネット式プレートが取り付けられた場合、マグネット式プレートの表面に様々な掲示物などを留めることができ、パーテーションに掲示機能が付加される。マグネット式プレートをパーテーションパネルの上部に取り付けることで、周囲の利用者からの、マグネット式プレートの視認性が高められる。
【００１１】
本考案の一態様においては、本考案のパーテーションは、前記一対のパーテーションパネルの一方が、磁性を有する材料によって形成されている。
このような構成によれば、パーテーションパネル自体に、マグネット等を用いて各種の物品を固定することが可能となる。
【００１２】
本考案の一態様においては、本考案のパーテーションは、前記枠体は、前記枠体に囲まれる内部空間の内方に向かって開口する凹部を有し、前記照明器具は、前記凹部内に収容されている。
このような構成によれば、照明器具が枠体の凹部内に収容されることで、光透過性を有した材料によって形成されたパーテーションパネルを通して、外部から照明器具が見えてしまうのを抑えることができる。また、凹部は、枠体の内方の内部空間に向かって開口しているので、照明器具による照明光を、パーテーション本体の内部空間に効率良く照射させることができる。
【考案の効果】
【００１３】
本考案によれば、より演出性の高い室内空間を実現することができるパーテーションを提供することが可能となる。
【図面の簡単な説明】
【００１４】
【図１】本考案の実施形態におけるパーテーションを示す正面図である。
【図２】図１のＩ―Ｉ矢視断面図である。
【図３】図１のＩＩ―ＩＩ矢視断面図である。
【図４】図１のパーテーションを構成する枠体を示す正面図である。
【図５】図３の一部の構成を拡大した平断面図である。
【図６】図４の一部の構成を拡大した立断面図である。
【図７】図２の一部の構成を拡大した断面図である。
【図８】本考案の実施形態の変形例におけるパーテーションを、遮光性を有したパーテーションパネル側から見た背面図である。
【図９】図８のＩＩＩ―ＩＩＩ矢視断面図である。
【図１０】パーテーションを複数枚連接した例を示す斜視図である。
【考案を実施するための形態】
【００１５】
以下、添付図面を参照して、本考案によるパーテーションを実施するための形態について、図面に基づいて説明する。
本考案の実施形態におけるパーテーションを示す正面図を図１に示す。図２は、図１のＩ―Ｉ矢視断面図である。図３は、図１のＩＩ―ＩＩ矢視断面図である。
図１〜図３に示されるように、パーテーション１Ａは、パーテーション本体２と、照明器具５と、を備えている。パーテーション本体２は、床面Ｆ上に立設されるパネル状で、室内スペースを区画する。パーテーション本体２は、枠体３と、外周枠体７と、一対のパーテーションパネル４と、を備えている。
【００１６】
図４は、図１のパーテーションを構成する枠体を示す正面図である。図５は、図３の一部の構成を拡大した平断面図である。図６は、図４の一部の構成を拡大した立断面図である。図７は、図２の一部の構成を拡大した断面図である。
図４に示されるように、枠体３は、正面視矩形状で、パーテーション本体２の周縁部に沿って設けられている。枠体３は、上枠材３１と、下枠材３２と、一対の側枠材３３と、を備えている。上枠材３１は、パーテーション本体２の上部において水平方向に延びている。下枠材３２は、上枠材３１の下方に間隔をあけて配置されている。下枠材３２は、パーテーション本体２の下部において水平方向に延びている。一対の側枠材３３は、パーテーション本体２の幅方向Ｄｗの両側に配置されている。一対の側枠材３３は、それぞれ上下方向Ｄｖに延びている。図２、図３、図５〜図７に示されるように、一対の側枠材３３の上下端部は、上枠材３１の幅方向Ｄｗ両側の端部と、下枠材３２の幅方向Ｄｗ両側の端部とに、それぞれＬ字状の接続金具３８を介してボルト等によって接続されている。
また、図４に示されるように、下枠材３２の幅方向Ｄｗの両端部には、それぞれ、床面Ｆに設置し、パーテーション１Ａのレベル調整を行うためのアジャスター３９が設けられている。
【００１７】
図３、図５、図７に示されるように、上枠材３１、下枠材３２、一対の側枠材３３は、それぞれ断面Ｃ字状のチャンネル材３４によって形成されている。チャンネル材３４は、基部３４ａと、一対の側壁部３４ｂと、を一体に有している。基部３４ａは、上枠材３１、下枠材３２、側枠材３３のそれぞれが延伸する方向に連続して延びている。基部３４ａは、後述する外周枠体７の内側面７ｆに沿うよう設けられている。一対の側壁部３４ｂは、基部３４ａの幅方向両端部から、枠体３の内方に向けて起立している。上枠材３１、下枠材３２、一対の側枠材３３には、それぞれ、基部３４ａと一対の側壁部３４ｂとに囲まれて、枠体３の内方、つまり枠体３に囲まれる内部空間Ｓに向けて開口する凹部３５が形成されている。この凹部３５は、上枠材３１、下枠材３２、側枠材３３のそれぞれが延伸する方向に連続する溝状に形成されている。
このような上枠材３１、下枠材３２、側枠材３３を形成するチャンネル材３４は、例えば、鋼材、アルミ合金、ステンレス合金等の金属材料から形成されている。
【００１８】
図１〜図７に示されるように、外周枠体７は、枠体３の外周側に設けられている。外周枠体７は、上側外周枠材７１と、下側外周枠材７２と、一対の側部外周枠材７３と、を備えている。上側外周枠材７１は、パーテーション本体２の最上部において水平方向に延びている。上側外周枠材７１は、上枠材３１の上面に沿って設けられている。下側外周枠材７２は、パーテーション本体２の最下部において水平方向に延びている。下側外周枠材７２は、下枠材３２の下面に沿って設けられている。一対の側部外周枠材７３は、パーテーション本体２の幅方向Ｄｗの両側で、上下方向Ｄｖに延びている。一対の側部外周枠材７３は、側枠材３３に対し、幅方向Ｄｗ外側の側面に沿って設けられている。上側外周枠材７１、下側外周枠材７２、側部外周枠材７３は、上枠材３１、下枠材３２、側枠材３３に、ビス、接着剤等によって接合されている。上側外周枠材７１、下側外周枠材７２、側部外周枠材７３は、例えば、各種の金属系材料、樹脂系材料、木質系材料等によって形成されている。外周枠体７は、パーテーション１Ａの外部に露出する。このため、上側外周枠材７１、下側外周枠材７２、側部外周枠材７３に、例えば、赤松、杉等の天然木材、集成材等の木質系材料を用いることで、パーテーション１Ａの外観を、自然素材感のある質感とすることができる。
上側外周枠材７１、下側外周枠材７２、側部外周枠材７３は、それぞれが延伸する方向に直交する断面形状が、例えば矩形状をなしている。上側外周枠材７１、下側外周枠材７２、側部外周枠材７３は、上枠材３１、下枠材３２、側枠材３３に対して、パーテーション１Ａの厚さ方向Ｄｔの両側に張り出している。つまり、図２、図３に示されるように、上側外周枠材７１、下側外周枠材７２、側部外周枠材７３の厚さ方向Ｄｔにおける外形寸法Ｔ１は、チャンネル材３４の厚さ方向Ｄｔにおける外形寸法Ｔ２よりも大きい。
【００１９】
一対のパーテーションパネル４は、パーテーション１Ａの厚さ方向Ｄｔの両側に配置されている。一対のパーテーションパネル４は、枠体３を挟んで厚さ方向Ｄｔにおいて枠体３の両側に設けられている。一対のパーテーションパネル４は、枠体３に対して厚さ方向Ｄｔの一方側に配置された第一パネル４１Ａと、厚さ方向Ｄｔの他方側に配置された第二パネル４１Ｂと、を備えている。本実施形態において、各パーテーションパネル４（第一パネル４１Ａ、第二パネル４１Ｂ）は、其々、光透過性を有する材料で、光拡散機能を有するように形成されている。各パーテーションパネル４を形成する光透過性を有する材料としては、例えば、ポリカーボネイト、アクリル樹脂、塩化ビニール等をはじめとする各種の樹脂材料が挙げられる。パーテーションパネル４は、透明であってもよいし、半透明であってもよい。パーテーションパネル４は、光透過性を有するのであれば、着色されていてもよい。
【００２０】
光透過性を有する材料によって形成されたパーテーションパネル４（第一パネル４１Ａ、第二パネル４１Ｂ）は、断面が波状となるように形成されている。図５に示されるように、パーテーションパネル４は、パーテーション１Ａの厚さ方向Ｄｔの外側に突出する突条４２と、厚さ方向Ｄｔの内側に窪む凹溝４３とが、幅方向Ｄｗに交互に繰り返し形成されることで、断面波状に構成されている。突条４２、及び凹溝４３は、それぞれ上下方向Ｄｖに連続している。ここで、突条４２の厚さ方向Ｄｔへの突出高さ、凹溝４３の厚さ方向Ｄｔへの窪み深さ、突条４２と凹溝４３との幅方向Ｄｗにおけるピッチ等の各種の寸法は、適宜変更可能である。
このように、本実施形態においては、パーテーションパネル４の材質と、波状とされた形状により、後に説明する、第一パネル４１Ａと第二パネル４１Ｂの間に設けられる照明器具５により発せられた光が、パーテーションパネル４を通過する際に不均一に拡散されることで、上記の光拡散機能が実現されている。
【００２１】
枠体３に対して厚さ方向Ｄｔの両側に配置されたパーテーションパネル４は、上側外周枠材７１、下側外周枠材７２、側部外周枠材７３よりも厚さ方向Ｄｔの両側に張り出さずに配置されている。したがって、外周枠体７（上側外周枠材７１、下側外周枠材７２、側部外周枠材７３）は、一対のパーテーションパネル４の外周部同士の隙間を塞いでいる。これにより、パーテーション１Ａは、枠体３の内方に、一対のパーテーションパネル４に囲まれた、略直方体状の内部空間Ｓを有している。
一対のパーテーションパネル４は、ビス等によって、例えば一対の側枠材３３に固定されている。また、パーテーションパネル４は、例えば上側外周枠材７１の下面、及び下側外周枠材７２の上面に形成した溝（図示無し）に、パーテーションパネル４の上下端部を挿入することで、外周枠体７に保持されるようにしてもよい。これ以外にも、パーテーションパネル４は、適宜のブラケット金具等によって、枠体３、又は外周枠体７に固定するようにしてもよい。
このように、枠体３は、一対のパーテーションパネル４に挟まれて設けられている。
【００２２】
図１〜図７に示されるように、照明器具５は、パーテーション本体２の周縁部に内蔵されている。照明器具５は、上枠材３１、下枠材３２、側枠材３３の少なくとも一つに沿って延びる、線状光源５１である。本実施形態において、線状光源５１は、例えば、上枠材３１の下面と、下枠材３２の下面とに設けられている。線状光源５１は、上枠材３１、下枠材３２の延伸方向（パーテーション１Ａの幅方向Ｄｗ）に延びる線状（テープ状）に形成されている。線状光源５１は、テープ状の基材に、上枠材３１、下枠材３２の延伸方向に複数並べられた複数の発光ダイオード（ＬＥＤ）を備えている。
図５〜図７に示されるように、このような線状光源５１は、上枠材３１、下枠材３２を構成するチャンネル材３４の凹部３５内に収容されている。線状光源５１は枠体３の凹部３５内に収容され、枠体３は一対のパーテーションパネル４に挟まれて設けられているため、照明器具５は、一対のパーテーションパネル４同士の間に設けられた構成となっている。
線状光源５１には、線状光源５１に外部から電力を供給する電源配線５５が接続されている。電源配線５５は、側枠材３３に沿って上下方向Ｄｖに延びている。電源配線５５は、側枠材３３を構成するチャンネル材３４の凹部３５内に収容されている。電源配線５５は、凹部３５内で、適宜の配線クリップ５７によって、チャンネル材３４の基部３４ａに係止されている。
【００２３】
このようなパーテーション１Ａは、室内空間を、厚さ方向Ｄｔの一方側と他方側とに区画する機能を有する。また、パーテーション１Ａは、照明器具５を点灯させることで、室内を照らす機能を有する。照明器具５からの照明光は、枠体３と一対のパーテーションパネル４との間に形成される内部空間Ｓに照射される。このため、照明器具５からの照明光は、内部空間Ｓ内に立体的に拡がって照射される。内部空間Ｓに照射された照明光は、光透過性を有する材料で、かつ光拡散機能を有するパーテーションパネル４を通して、室内に拡散して照明される。
【００２４】
上述したようなパーテーション１Ａによれば、室内スペースを区画するパーテーション本体２と、パーテーション本体２の周縁部に内蔵された照明器具５と、を備え、パーテーション本体２は、枠体３と、枠体３を挟んで枠体３の両側に設けられる、一対のパーテーションパネル４と、を備え、照明器具５は、一対のパーテーションパネル４同士の間に設けられ、一対のパーテーションパネル４の少なくとも一方は、光透過性を有する材料で、かつ光拡散機能を有するように形成されている。
このような構成によれば、一対のパーテーションパネル４同士の間に、照明器具５が設けられている。このため、照明器具５がパーテーション本体２の外部に露出することがなく、パーテーション１Ａ自体によって、室内の雰囲気が損なわれるのを抑えることができる。
照明器具５を点灯させると、照明器具５からの照明光は、枠体３の内方で、一対のパーテーションパネル４の間に形成される内部空間Ｓを通過して、一対のパーテーションパネル４に照射される。内部空間Ｓに照射された照明光は、光透過性を有する材料で、かつ光拡散機能を有するパーテーションパネル４を通して、室内に拡散して、拡散光として照明される。このようにして、照明光が内部空間Ｓ内に拡がった後、光透過性を有したパーテーションパネル４を通して拡散することで、いわば、行燈のような温かみのある照明がパーテーション１Ａから発せられる。
特に、照明器具５は、一対のパーテーションパネル４同士の間に設けられているため、例えばパーテーションパネル４の周縁部よりも外側に照明器具５が設けられた場合に比べて、照明器具５によって光が照射されるパーテーションパネル４の領域が広くなる。したがって、上記のような、温かみのある拡散光の光量を大きくし、当該拡散光の照射範囲を広くすることができる。これにより、室内をより明るくするとともに、光による表現力、視覚効果を高めて、室内の演出性を高めることができる。
このようにして、上記のようなパーテーション１Ａにより、より演出性の高い室内空間を実現することが可能となる。
【００２５】
また、一対のパーテーションパネル４が、其々、光透過性を有する材料によって形成されている。
このような構成によれば、パーテーション１Ａの両側の室内空間に、パーテーション本体２の内部空間Ｓからパーテーションパネル４を通して照明光が拡散される。
したがって、より演出性の高い室内空間を実現することが可能となる。
【００２６】
また、光透過性を有する材料によって形成されたパーテーションパネル４が、断面が波状となるように形成されている。
このような構成によれば、パーテーションパネル４の断面を波状とすることで、パーテーション本体２の内部空間Ｓからパーテーションパネル４を通して室内空間に拡散される光が不均一な拡散光となるため、上記のような光拡散機能を、効率的に実現することができる。さらに、複数枚のパーテーション１Ａを室内に設置する場合、複数枚のパーテーション１Ａ間でパーテーションパネル４の波状断面の方向を異ならせれば、パーテーションパネル４を通して室内空間に拡散される光の拡散性を変えることもできる。このようにして、パーテーション１Ａによる室内空間への演出性を、さらに高めることができる。
また、パーテーションパネル４の断面を波状とすることで、視線を遮る効果も高められ、プライバシー性の高い室内空間を提供できる。
【００２７】
また、枠体３は、枠体３に囲まれる内部空間Ｓの内方に向かって開口する凹部３５を有し、照明器具５は、凹部３５内に収容されている。
このような構成によれば、照明器具５が枠体３の凹部３５内に収容されることで、光透過性を有した材料によって形成されたパーテーションパネル４を通して、外部から照明器具５が見えてしまうのを抑えることができる。また、凹部３５は、枠体３の内方の内部空間Ｓに向かって開口しているので、照明器具５による照明光を、パーテーション本体２の内部空間Ｓに効率良く照射させることができる。
【００２８】
また、照明器具５に電力を供給する電源配線５５を備え、電源配線５５は、枠体３に沿って延び、凹部３５内に収容されている。
このような構成によれば、電源配線５５が枠体３の凹部３５内に収容されることで、光透過性を有した材料によって形成されたパーテーションパネル４を通して、外部から電源配線５５が見えてしまうのを抑えることができる。
【００２９】
また、枠体３は、金属系材料により形成されている。
このような構成によれば、枠体３を金属系材料によって形成することで、枠体３の剛性が高められ、枠体３の強度を確保しつつ、軽量化を図ることもできる。特に、枠体３を、凹部３５を有した形状とすることで、枠体３の強度を効率良く高めることができる。
【００３０】
また、枠体３は、パーテーション本体２の上部において水平方向に延びる上枠材３１と、パーテーション本体２の下部において水平方向に延びる下枠材３２と、パーテーション本体２の幅方向Ｄｗ両側でそれぞれ上下方向Ｄｖに延びる側枠材３３と、を備え、照明器具５は、上枠材３１、下枠材３２に沿って延びる線状光源５１である。
このような構成によれば、照明器具５を、上枠材３１と下枠材３２に沿って延びる線状光源５１とすることで、パーテーション本体２の内部空間Ｓを、広い範囲で照明することができる。
【００３１】
また、枠体３の外周側に設けられ、一対のパーテーションパネル４の外周部同士の隙間を塞ぐ外周枠体７をさらに備える。
このような構成によれば、枠体３の外周側に外周枠体７を設けることで、枠体３自体がパーテーション本体２の外部に露出するのを抑え、パーテーション１Ａの外観を良好なものとすることができる。また、外周枠体７に枠体３を取り付けることで、外周枠体７が枠体３の支持機能を備えるものとなる。
【００３２】
また、外周枠体７は、木質系材料により形成されている。
このような構成によれば、外周枠体７を木質系材料によって形成することで、パーテーション１Ａの外観を、より良好なものとすることができる。
【００３３】
（実施形態の第１変形例）
なお、本考案のパーテーションは、図面を参照して説明した上述の実施形態に限定されるものではなく、その技術的範囲において様々な変形例が考えられる。
例えば、上記実施形態では、一対のパーテーションパネル４が、其々、光透過性を有する材料によって形成されている構成としたが、これに限らない。例えば、本変形例におけるパーテーションのように、一対のパーテーションパネル４の一方が光透過性を有する材料によって形成され、他方が遮光性を有する材料によって形成されていてもよい。
図８は、本考案の実施形態の変形例におけるパーテーションを、遮光性を有したパーテーションパネル側から見た背面図である。図９は、図８のＩＩＩ―ＩＩＩ矢視断面図である。
本変形例において、一対のパーテーションパネル４は、枠体３に対して厚さ方向Ｄｔの一方側に配置された第一パネル４１Ａと、厚さ方向Ｄｔの他方側に配置された第二パネル４１Ｃと、を備えている。本変形例において、一方の第一パネル４１Ａは、光透過性を有する材料で、光拡散機能を有するように形成されている。
他方の第二パネル４１Ｃは、遮光性を有する材料によって形成されている。本実施形態において、第二パネル４１Ｃは、例えばガルバリウム鋼板（登録商標）等の金属材料によって形成されている。第二パネル４１Ｃをガルバリウム鋼板（登録商標）等の金属材料で形成した場合、第二パネル４１Ｃは、マグネットが磁着可能な磁性を有する。このように、第二パネル４１Ｃは、磁性を有する材料によって形成されてもよい。
第二パネル４１Ｃは、第一パネル４１Ａと同様、断面が波状となるように形成されていてもよい。
【００３４】
本変形例のパーテーション１Ｂは、一対のパーテーションパネル４の一方が光透過性を有する材料によって形成され、他方が遮光性を有する材料によって形成されている。
このような構成によれば、パーテーション１Ｂに対して一方の側の室内空間のみに、第一パネル４１Ａ（パーテーションパネル４）を通した照明光が拡散され、他方の側の室内空間へは、遮光性を有する材料によって形成された第二パネル４１Ｃ（パーテーションパネル４）によって、内部空間Ｓの照明光の室内への拡散が遮られる。このようにして、パーテーション１Ｂの設置場所、または利用者の好みに合わせて、室内空間への照明の拡散形態を異ならせることができる。また、パーテーション１Ｂによって視線を遮ることができ、プライバシー性の高い室内空間を提供できる。したがって、パーテーション１Ｂの機能をさらに高めることができる。
【００３５】
また、一対のパーテーションパネル４の一方が、磁性を有する材料によって形成されている。
このような構成によれば、パーテーションパネル４自体に、マグネット等を用いて各種の物品を固定することが可能となる。
【００３６】
例えば、図８、図９に示すように、一対のパーテーションパネル４のうち、第二パネル４１Ｃを、磁性を有する材料によって形成した場合、第二パネル４１Ｃの上部に、例えば、吸音板８１を取り付けるようにしてもよい。吸音板８１は、吸音性能を有したスポンジ状の多孔質材料等によって形成されている。吸音板８１には、第二パネル４１Ｃに対向する側にシート状のマグネット部８５が設けられている。マグネット部８５を第二パネル４１Ｃに磁着させることで、吸音板８１がパーテーションパネル４に容易に取り付けられる。
また、図８、図９に示すように、一対のパーテーションパネル４のうち、磁性を有する材料によって形成された第二パネル４１Ｃの上部に、例えば、マグネット式プレート８２を取り付けるようにしてもよい。マグネット式プレート８２は、マグネット部８５により、磁性を有する材料によって形成された第二パネル４１Ｃに磁着させることができる。マグネット式プレート８２は、磁性を有する材料によって形成されており、室内空間側を向く表面８２ｆに、マグネットを用いて様々な掲示物などを留めることができる。
なお、吸音板８１、マグネット式プレート８２は、マグネット部８５によって、磁性を有する材料によって形成された第二パネル４１Ｃに磁着させる構成とせず、適宜の取付金具等を用い、第一パネル４１Ａ、第二パネル４１Ｃに取り付けることも可能である。
【００３７】
このように、本変形例のパーテーション１Ｂは、一対のパーテーションパネル４の上部に、吸音板８１、または磁性を有する材料によって形成されたマグネット式プレート８２が取り付けられている。
このような構成によれば、パーテーションパネル４に吸音板８１が取り付けられることで、室内空間の吸音性能を高めることができる。オフィス等において、話し声などの騒音源は、パーテーション１Ｂの下側よりも、上側の位置において生じやすい。このため、吸音板８１をパーテーションパネル４の上部に取り付けることで、吸音板８１による吸音性能を、効率よく高めることができる。
また、パーテーションパネル４にマグネット式プレート８２が取り付けられることで、マグネット式プレート８２の表面８２ｆに様々な掲示物などを留めることができ、パーテーション１Ｂに掲示機能が付加される。マグネット式プレート８２をパーテーションパネル４の上部に取り付けることで、周囲の利用者からの、マグネット式プレート８２の視認性が高められる。
【００３８】
図１０は、パーテーションを複数枚連接した例を示す斜視図である。
また、上記実施形態および変形例で示したパーテーション１Ａ、１Ｂは、図１０に示すように、複数枚を連接した構成とすることも可能である。この場合、隣り合うパーテーション１Ａ、１Ｂ同士は、蝶番９０によって鉛直軸周りに回動可能に連結するのが好ましい。これにより、隣り合うパーテーション１Ａ、１Ｂのうち一方のパーテーション１Ａ、１Ｂが床面Ｆで延びる方向Ｄ１と、他方のパーテーション１Ａ、１Ｂが床面Ｆ上で延びる方向Ｄ２とを、蝶番９０の回動範囲内で互いに異ならせた状態で、複数枚のパーテーション１Ａ、１Ｂを設置することができる。これにより、複数のパーテーション１Ａ、１Ｂを、様々な形態で設置することができる。また、複数枚のパーテーションが、床面Ｆ上で自立可能となる。
【００３９】
（その他の変形例）
上記実施形態では、断面波型のパーテーションパネル４は、突条４２、及び凹溝４３が上下方向Ｄｖに連続して延びるようにしたが、突条４２、及び凹溝４３の連続方向は、上下方向Ｄｖに限らず、幅方向Ｄｗ、斜め方向等であってもよい。また、例えば図１０に示すように、複数枚のパーテーション１Ａ、１Ｂを連結する場合等、室内に設置する複数枚のパーテーション１Ａ、１Ｂ間で、突条４２、及び凹溝４３が延びる方向が異なるようにしてもよい。
また、上記実施形態では、パーテーションパネル４を、断面波型に形成するようにしたが、光拡散機能を有するのであれば、パーテーションパネル４は、断面波型に限らず、例えば複数の点状の凹凸を備える構成等、適宜他の構成に変更可能である。
また、上記実施形態では、上枠材３１、及び下枠材３２に照明器具５を設けるようにしたが、上枠材３１、及び下枠材３２の一方のみに照明器具５を設けるようにしてもよい。また、照明器具５は、一対の側枠材３３の少なくとも一方に設けるようにしてもよい。さらに、照明器具５を、上枠材３１、下枠材３２、一対の側枠材３３のそれぞれに設け、スイッチ等で、点灯させる照明器具５を適宜選択できる構成としてもよい。
これ以外にも、本考案の主旨を逸脱しない限り、上記実施の形態で挙げた構成を取捨選択したり、他の構成に適宜変更したりすることが可能である。
【符号の説明】
【００４０】
１Ａ、１Ｂ  パーテーション        ３３  側枠材
２  パーテーション本体            ３５  凹部
３  枠体                          ５１  線状光源
４  パーテーションパネル          ５５  電源配線
５  照明器具                      ８１  吸音板
７  外周枠体                      ８２  マグネット式プレート
３１  上枠材                      Ｓ  内部空間
３２  下枠材
【図１】
0003235081.tif 000003
【図２】
0003235081.tif 000004
【図３】
0003235081.tif 000005
【図４】
0003235081.tif 000006
【図５】
0003235081.tif 000007
【図６】
0003235081.tif 000008
【図７】
0003235081.tif 000009
【図８】
0003235081.tif 000010
【図９】
0003235081.tif 000011
【図１０】
0003235081.tif 000012